(57)【要約】  通信システム(1)では、セルラ通信及び非セルラ通信の一方において、ＵＥ(50)が利用するサービスタイプに対応するアクセス先が無い場合、ＤＢサーバ(10)の検索部(13)が、セルラ通信及び非セルラ通信の他方における、対応情報を参照することで、アクセス先を選択する。このように、セルラ通信及び非セルラ通信の一方に、ＵＥ(50)が利用するサービスタイプに対応するアクセス先が無い場合に、セルラ通信及び非セルラ通信の他方において、サービスタイプに対応するアクセス先を選択するので、サービスタイプに適合するアクセス先をセルラ通信及び非セルラ通信の双方から選択することができる。
2018061942.tif 000002
【特許請求の範囲】
【請求項１】
通信サービスを利用可能な端末と、複数のゲートウェイ装置とを含む通信システムにより実行される、前記端末が利用する通信サービスのための通信を行うゲートウェイ装置を選択するゲートウェイ選択方法であって、
セルラ通信及び非セルラ通信の一方において、前記端末が利用する通信サービスに対応するゲートウェイ装置が無い場合に、前記セルラ通信及び非セルラ通信の他方における、通信サービスと、当該通信サービスを利用するための通信を行うゲートウェイ装置とを対応付けた対応情報を参照することで、前記端末が利用する通信サービスのための通信を行うゲートウェイ装置を選択する選択ステップ、を含むゲートウェイ選択方法。
【請求項２】
前記選択ステップでは、前記対応情報を参照して、前記端末が利用する通信サービスに対応するゲートウェイ装置の検索を行い、検索結果に基づいて、前記端末が利用する通信サービスのための通信を行うゲートウェイ装置を選択する、請求項１に記載のゲートウェイ選択方法。
【請求項３】
前記セルラ通信及び非セルラ通信の一方において、前記端末が利用する通信サービスに対応するゲートウェイ装置の有無を判断する判断ステップをさらに含み、
前記選択ステップでは、前記判断ステップによって、前記端末が利用する通信サービスに対応するゲートウェイ装置が無いと判断された場合に、前記検索を行う、請求項２に記載のゲートウェイ選択方法。
【請求項４】
前記選択ステップでは、前記端末が利用する通信サービスに対応するゲートウェイ装置の検索を行った結果、前記端末が利用する通信サービスに対応するゲートウェイ装置がある場合、前記検索結果として、当該ゲートウェイ装置のアドレスを出力し、出力したアドレスのゲートウェイ装置を選択する、請求項２又は３に記載のゲートウェイ選択方法。
【請求項５】
前記選択ステップでは、前記端末が利用する通信サービスに対応するゲートウェイ装置の検索を行った結果、前記端末が利用する通信サービスに対応するゲートウェイ装置が無い場合、前記検索結果として、予め定められているゲートウェイ装置のアドレスを出力し、出力したアドレスのゲートウェイ装置を選択する、請求項２〜４の何れか一項に記載のゲートウェイ選択方法。
【請求項６】
通信サービスを利用可能な端末と、当該通信サービスを利用するための通信を行う複数のゲートウェイ装置とを含む通信システムであって、
セルラ通信及び非セルラ通信の一方において、前記端末が利用する通信サービスに対応するゲートウェイ装置が無い場合に、前記セルラ通信及び非セルラ通信の他方における、通信サービスと、当該通信サービスを利用するための通信を行うゲートウェイ装置とを対応付けた対応情報を参照することで、前記端末が利用する通信サービスのための通信を行うゲートウェイ装置を選択する選択部、を備える通信システム。
【発明の詳細な説明】
【技術分野】
【０００１】
本発明は、ゲートウェイ選択方法および通信システムに関する。
【背景技術】
【０００２】
従来、Ａｔｔａｃｈ要求したＵＥ（User  Equipment）の端末タイプに基づいてＭＭＥ（Mobility  Management  Entity）を選択し、選択されたＭＭＥが負荷情報に基づいてＳＧＷ（Serving  Gateway）を選択することが、非特許文献１に記載されている。
【先行技術文献】
【非特許文献】
【０００３】
【非特許文献１】３ＧＰＰ  ＴＳ  ２３．４０１
【発明の概要】
【発明が解決しようとする課題】
【０００４】
しかしながら、上記従来技術によると、各ＳＧＷにおける割当可能なリソースに基づいてＳＧＷを選択する手段しかない。よって、１つのＵＥが通信サービス毎にその要件に適合した複数のゲートウェイ（例えば、ＳＧＷ）にアクセスできない可能性があるという問題がある。よって、ＵＥが要求する通信サービスの要件に適合するゲートウェイを選択できることが望ましい。【０００５】
ところで、セルラ通信及び非セルラ通信共に可能なＵＥもある。そこで、セルラ通信及び非セルラ通信の双方から通信サービスの要件に適合するゲートウェイを選択できることが望ましい。【０００６】
そこで、本発明は、上記問題点を解決するために、ＵＥが要求する通信サービスの要件に適合するゲートウェイをセルラ通信及び非セルラ通信の双方から選択することを目的とする。
【課題を解決するための手段】
【０００７】
上述の課題を解決するために、本発明の一実施形態に係るゲートウェイ選択方法は、通信サービスを利用可能な端末と、複数のゲートウェイ装置とを含む通信システムにより実行される、端末が利用する通信サービスのための通信を行うゲートウェイ装置を選択するゲートウェイ検索方法であって、セルラ通信及び非セルラ通信の一方において、端末が利用する通信サービスに対応するゲートウェイ装置が無い場合に、セルラ通信及び非セルラ通信の他方における、通信サービスと、当該通信サービスを利用するための通信を行うゲートウェイ装置とを対応付けた対応情報を参照することで、端末が利用する通信サービスのための通信を行うゲートウェイ装置を選択する選択ステップ、を含む。【０００８】
また、本発明の一実施形態に係る通信システムは、通信サービスを利用可能な端末と、当該通信サービスを利用するための通信を行う複数のゲートウェイ装置とを含む通信システムであって、セルラ通信及び非セルラ通信の一方において、端末が利用する通信サービスに対応するゲートウェイ装置が無い場合に、セルラ通信及び非セルラ通信の他方における、通信サービスと、当該通信サービスを利用するための通信を行うゲートウェイ装置とを対応付けた対応情報を参照することで、端末が利用する通信サービスのための通信を行うゲートウェイ装置を選択する選択部、を備える。【０００９】
この発明によれば、セルラ通信及び非セルラ通信の一方において、端末が利用する通信サービスに対応するゲートウェイ装置が無い場合に、他方における対応情報を参照することで、ゲートウェイ装置を選択するので、セルラ通信及び非セルラ通信の一方において、端末が利用する通信サービスに対応するゲートウェイ装置が無い場合でも、他方において、端末が利用する通信サービスに対応するゲートウェイ装置を選択することができる。これにより、端末が要求する通信サービスの要件に適合するゲートウェイ装置をセルラ通信及び非セルラ通信の双方から選択することができる。
【発明の効果】
【００１０】
本発明によれば、端末が要求する通信サービスの要件に適合するゲートウェイをセルラ通信及び非セルラ通信の双方から選択することができる。
【図面の簡単な説明】
【００１１】
【図１】本発明の実施形態に係る通信システムのシステム構成を示す図である。
【図２】ＨＳＳが記憶している情報を示す図である。
【図３】スライス選択装置及びＤＢサーバの機能ブロック図を示す図である。
【図４】スライス選択装置及びＤＢサーバが記憶している情報を示す図である。
【図５】スライス選択装置及びＤＢサーバのハードウェア構成を説明する図である。
【図６】スライス選択装置及びＤＢサーバにおいて、アクセス先のスライスを決定するフローチャートである。
【図７】非セルラ通信からセルラ通信にアクセス変更して、通信サービスに対応するアクセス先を決定するシーケンス図である。
【図８】セルラ通信から非セルラ通信にアクセス変更して、通信サービスに対応するアクセス先を決定するシーケンス図である。
【図９】他の実施形態の対応情報の例を示す図である。
【発明を実施するための形態】
【００１２】
以下、添付図面を参照して、本発明を実施するための形態を詳細に説明する。なお、図面の説明においては同一要素には同一符号を付し、重複する説明を省略する。
【００１３】
図１は、本発明の一実施形態の通信システム１のシステム構成図である。この通信システム１は、ＤＢサーバ１０、スライス選択装置２０（スライス選択装置２０Ａ及びスライス選択装置２０Ｂ）、ＡＡＡサーバ３０、ＭＭＥ４０、通信サービスを利用可能なＵＥ５０、ＨＳＳ６０、ｅＰＤＧ７０、ＳＧＷ８０、及びＰＧＷ９０を含んで構成されている。また、この通信システム１は、非セルラ通信（非３ＧＰＰアクセス）により通信サービスを提供するシステムである。
【００１４】
ここで、非セルラ通信とは、セルラ通信以外の通信（無線ＬＡＮ（Local  Area  Network）等）を意味する。また、通信サービスは、通信を用いたサービスであり、動画配信、車車間通信等のサービスである。それぞれの通信サービスにおいて、要求されるネットワーク要件が異なる。ＵＥ５０は、通信サービスを示す情報として、上記ネットワーク要件を示す情報であるサービスタイプを記憶している。
【００１５】
スライス選択装置２０は、ＵＥ５０からのアクセス要求に応じて、ＵＥ５０が利用する通信サービスに対応するスライスを選択する装置（Slice  Selection  Function）である。スライスとは、ネットワーク装置のリンクとノードの資源を仮想的に切り分けて、切り分けた資源を結合し、ネットワークインフラ上に論理的に生成される仮想ネットワーク又はサービス網であり、スライス同士は資源を分離しており、互いに干渉しない。スライスＳＬ１は、ｅＰＤＧ７０Ａ及びＰＧＷ９０Ａのリソースを確保しており、スライスＳＬ２は、ｅＰＤＧ７０Ｂ及びＰＧＷ９０Ｂのリソースを確保している。また、スライスＳＬ３は、ＰＧＷ９０Ｃのリソースを確保しており、スライスＳＬ４は、ＳＧＷ８０及びＰＧＷ９０Ｄのリソースを確保している。
【００１６】
スライス選択装置２０は、サービスタイプと、当該サービスタイプの要件を満たすスライスを構成するゲートウェイ装置（ｅＰＤＧ７０、ＳＧＷ８０、及びＰＧＷ９０）のアドレスとを対応付けた情報を記憶している。また、スライス選択装置２０は、サービスタイプに対応するスライスが存在しない場合の時にアクセスするためのスライス（デフォルトスライス）を予め定めており、当該デフォルトスライスを構成するゲートウェイ装置のアドレスも記憶している。スライス選択装置２０は、ＡＡＡサーバ３０又はＭＭＥ４０からアクセス先の問い合わせ要求を受け付けると、上記情報を参照し、要求に応じたアドレスをＡＡＡサーバ３０又はＭＭＥ４０へ送信する。スライス選択装置２０Ａは、セルラ通信によりアクセス可能な装置である。また、スライス選択装置２０Ｂは、非セルラ通信によりアクセス可能な装置である。
【００１７】
例えば、スライス選択装置２０Ａは、セルラ通信における、サービスタイプと、スライスのアクセス先となるＳＧＷ８０のアドレス情報とを対応付けた情報（対応情報）を記憶している。スライス選択装置２０Ａは、ＭＭＥ４０からサービスタイプを受信すると、当該サービスタイプに対応するアドレス情報の有無を判断する。スライス選択装置２０Ａは、当該サービスタイプに対応するアドレス情報が無い場合、ＤＢサーバ１０に対して、非セルラ通信における、当該サービスタイプに対応するアドレス情報の有無の検索要求をする。
【００１８】
また、スライス選択装置２０Ｂは、非セルラ通信における、サービスタイプと、スライスのアクセス先となるｅＰＤＧ７０及びＰＧＷ９０のアドレス情報とを対応付けた対応情報を記憶している。スライス選択装置２０Ｂは、ＡＡＡサーバ３０からサービスタイプ及びアクセス種別（信頼されている非３ＧＰＰアクセス及び信頼されていない非３ＧＰＰアクセスの何れかを利用しているかを示す情報）を受信すると、当該サービスタイプに対応するアドレス情報の有無を判断する。スライス選択装置２０Ｂは、当該サービスタイプに対応するアドレス情報が無い場合、ＤＢサーバ１０に対して、セルラ通信における、当該サービスタイプに対応するアドレス情報の有無の検索要求をする。
【００１９】
ＤＢサーバ１０は、サービスタイプと、スライスを構成するゲートウェイ装置（ｅＰＤＧ７０、ＳＧＷ８０、及びＰＧＷ９０）のアドレスとを対応付けた情報を記憶するデータベースサーバである。ＤＢサーバ１０は、スライス選択装置２０Ａ及びスライス選択装置２０Ｂが記憶している対応情報を記憶している。ＤＢサーバ１０は、スライス選択装置２０Ａから検索要求を受け付けると、サービスタイプと、ｅＰＤＧ７０及びＰＧＷ９０のアドレス情報とを対応付けた対応情報を参照して、当該サービスタイプに対応するアドレス情報を検索して、当該サービスタイプに対応するアドレス情報の有無をスライス選択装置２０Ａに対して通知する。また、ＤＢサーバ１０は、スライス選択装置２０Ｂから検索要求を受け付けると、サービスタイプと、ＳＧＷ８０のアドレス情報とを対応付けた対応情報を参照して、当該サービスタイプに対応するアドレス情報を検索して、当該サービスタイプに対応するアドレス情報の有無をスライス選択装置２０Ｂへ通知する。
【００２０】
ＡＡＡサーバ３０は、無線ＬＡＮを経由してアクセスするＵＥ５０のアクセス制御をするサーバ装置である。
【００２１】
ＭＭＥ４０は、ＬＴＥネットワークに在圏するＵＥ５０の位置管理、認証制御、及びＳＧＷ８０と基地局との間のユーザデータの通信経路の設定処理を行う部分である。
【００２２】
スマートフォン、タブレット端末を含むＵＥ５０（端末）は、この通信システム１と無線等により通信を行うことができる。また、ＵＥ５０は、自装置の識別情報（ユーザ情報）を記憶しており、当該情報をＡＡＡサーバ３０、ｅＰＤＧ７０、及びＭＭＥ４０の何れかの装置へ送信する。ＵＥ５０は、セルラ通信をする場合、ＭＭＥ４０へ送信する。また、ＵＥ５０は、信頼されていない非３ＧＰＰアクセスを利用する場合、ｅＰＤＧ７０を経由してＡＡＡサーバ３０へ通信する。また、ＵＥ５０は、信頼されている非３ＧＰＰアクセスを利用する場合、ｅＰＤＧ７０を経由することなくＡＡＡサーバ３０へ通信する。ＡＡＡサーバ３０は、アクセス種別をスライス選択装置２０Ｂへ送信する。
【００２３】
ＨＳＳ６０は、ＵＥ５０等の通信端末の契約情報、認証情報、通信サービス情報、端末タイプ情報及び在圏情報を含む加入者情報をデータベースで管理するサーバである。ＨＳＳ６０は、ユーザ情報（例えば、ＮＡＩ（Network  Access  Identity）、ＩＭＳＩ（International Mobile Subscriber Identity）、ＧＵＴＩ（Global  Unique  Temporary  Identity））と、サービスタイプとが含まれる。この情報は、例えば、図２に示すように、ユーザ情報と、サービスタイプ（service  type）とを有する。
【００２４】
ｅＰＤＧ７０は、コアネットワークと無線ＬＡＮとのゲートウェイ装置としてユーザデータの送信を行う部分であり、ＵＥ５０と通信するゲートウェイ装置である。
【００２５】
ＳＧＷ８０は、ＬＴＥを収容する在圏パケット交換機で、ＰＧＷ（Packet  data  network  Gate  Way）９０との間でユーザデータの送受信を行う。すなわち、ＳＧＷ８０は、パケット転送するゲートウェイ装置である。
【００２６】
ＰＧＷ９０は、ＰＤＮ（Packet  data  network）とコアネットワークとのゲートウェイであり、ユーザデータ（パケットデータ）を送信する。すなわち、ＰＧＷ９０は、パケット転送するゲートウェイ装置である。
【００２７】
次に、図３を参照しながら、通信システム１において特徴を有するＤＢサーバ１０及びスライス選択装置２０の構成要素について説明する。
【００２８】
図３に示すように、ＤＢサーバ１０は、要求受付部１１、記憶部１２、及び検索部１３（選択部）を含んで構成される。また、スライス選択装置２０は、要求受付部２１、記憶部２２、及びアクセス先判断部２３（選択部）を含んで構成される。
【００２９】
最初にスライス選択装置２０の機能詳細を説明する。要求受付部２１は、ＡＡＡサーバ３０又はＭＭＥ４０からサービスタイプを取得すると共に、ＵＥ５０が利用する通信サービス（サービスタイプ）に対応するアクセス先の通知要求を受け付ける。要求受付部２１は、当該アクセス先の通知要求を受け付けると、当該サービスタイプをアクセス先判断部２３へ送出する。
【００３０】
記憶部２２は、サービスタイプと、当該サービスタイプに対応するアクセス先のアドレスとを対応付けた情報（対応情報）を記憶する部分である。記憶部２２が記憶する情報の例を図４に示す。図４（Ａ）に示すように、スライス選択装置２０Ａは、サービスタイプを示す「サービスタイプ」とアクセス先のアドレス（ＳＧＷ８０のアドレス）を示すアドレス情報である「アクセス先情報」とを対応付けて記憶している。また、スライス選択装置２０Ｂは、図４（Ｂ）に示すように、サービスタイプを示す「サービスタイプ」とアクセス先のアドレス（ｅＰＤＧ７０又はＰＧＷ９０のアドレス）を示すアドレス情報である「アクセス先情報」とを対応付けて記憶している。このように、記憶部２２は、サービスタイプに対応するアドレス情報を記憶する。
【００３１】
アクセス先判断部２３は、セルラ通信及び非セルラ通信の一方において、ＵＥ５０が利用する通信サービスに対応するゲートウェイ装置の（ｅＰＤＧ７０、ＰＧＷ９０、及びＳＧＷ８０）有無を判断する部分である。アクセス先判断部２３は、記憶部２２を参照し、要求受付部２１から取得したサービスタイプに対応するアドレス情報を検索する。アクセス先判断部２３は、当該検索した結果により、記憶部２２にサービスタイプに対応するアドレス情報の有無を判断する。アクセス先判断部２３は、記憶部２２にサービスタイプに対応するアドレス情報がある場合、ＡＡＡサーバ３０又はＭＭＥ４０にアドレス情報を送信する。このように、アクセス先判断部２３は、記憶部２２にサービスタイプに対応するアドレス情報がある場合、当該アドレス情報が示すゲートウェイ装置を選択する（アクセス先のゲートウェイ装置を決定する）ことになる。また、アクセス先判断部２３は、記憶部２２にサービスタイプに対応するアドレス情報が無い場合、アクセス先判断部２３は、ＤＢサーバ１０に対して、自スライス選択装置２０に対応する通信種別（セルラ通信又は非セルラ通信を示す情報）を示す情報とサービスタイプとを送信すると共に、他の通信種別において、サービスタイプに対応するアクセス先があるか否かを問い合わせる。
【００３２】
アクセス先判断部２３は、上記の問い合わせに応じてＤＢサーバ１０からアクセス先がある旨の情報（再アクセス要求）を受信すると、ＡＡＡサーバ３０又はＭＭＥ４０に再アクセス要求を通知する。また、アクセス先判断部２３は、上記の問い合わせに応じてＤＢサーバ１０からアクセス先が無い旨の情報を受信すると、記憶部２２を参照して、デフォルトスライスのアクセス先を示すアドレス情報を検索して、当該アドレス情報をＡＡＡサーバ３０又はＭＭＥ４０に送信する。このように、アクセス先判断部２３は、デフォルトスライスのアクセス先を示すアドレス情報を検索して、当該アドレス情報をＡＡＡサーバ３０又はＭＭＥ４０に送信することにより、デフォルトスライスのゲートウェイ装置を選択することになる。
【００３３】
続いて、ＤＢサーバ１０の機能詳細を説明する。要求受付部１１は、スライス選択装置２０からサービスタイプ及び当該スライス選択装置２０に対応する通信種別（セルラ通信又は非セルラ通信）を受信すると共にアドレス送信要求を受け付ける部分である。要求受付部１１は、受信したサービスタイプ及び通信種別を検索部１３へ送出する。
【００３４】
記憶部１２は、サービスタイプと、当該サービスタイプに対応するアドレス情報とを対応付けた情報を記憶する部分である。記憶部１２は、図４（Ａ）に示したサービスタイプと、ＳＧＷ８０のアドレスとを対応付けた情報を記憶すると共に、図４（Ｂ）に示したサービスタイプと、ｅＰＤＧ７０又はＰＧＷ９０のアドレスとを対応付けた情報を記憶する。すなわち、記憶部１２は、セルラ通信における、サービスタイプとアドレス情報とを対応付けた情報（図４（Ａ））を記憶すると共に、非セルラ通信における、サービスタイプとアドレス情報と対応付けた情報（図４（Ｂ））を記憶する。なお、記憶部１２は、上記の対応付け情報を通信種別に対応付けて記憶している。
【００３５】
検索部１３は、セルラ通信及び非セルラ通信の一方において、ＵＥ５０が利用する通信サービスに対応するゲートウェイ装置が無い場合に、セルラ通信及び非セルラ通信の他方における、通信サービスと、当該通信サービスを利用するための通信を行うゲートウェイ装置とを対応付けた対応情報を参照して、ＵＥ５０が利用する通信サービスに対応するゲートウェイ装置の検索を行う部分である。
【００３６】
検索部１３は、要求受付部１１から通信種別及びサービスタイプを取得すると、当該通信種別とは異なる通信種別における、対応情報を参照して、サービスタイプに対応するアドレス情報を取得する。具体的に、検索部１３は、当該通信種別がセルラ通信であれば、非セルラ通信における、サービスタイプとアドレス情報とを対応付けた情報を参照して、上記サービスタイプに対応するアドレス情報を取得する。また、検索部１３は、当該通信種別が、非セルラ通信であれば、セルラ通信における、サービスタイプとアドレス情報とを対応付けた情報を参照して、上記サービスタイプに対応するアドレス情報を取得する。検索部１３は、記憶部１２に記憶された対応情報を参照して、アドレス情報を取得すると、アクセス先がある旨をＡＡＡサーバ３０又はＭＭＥ４０に送信する。また、検索部１３は、記憶部１２に記憶された対応情報を参照して、アドレス情報を取得できなかった場合、アクセス先が無い旨をＡＡＡサーバ３０又はＭＭＥ４０に送信する。
【００３７】
続いて、図５に本実施形態に係るＤＢサーバ１０及びスライス選択装置２０のハードウェア構成を示す。ＤＢサーバ１０及びスライス選択装置２０の機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)でアクセスし、これら複数の装置により実現されてもよい。
【００３８】
例えば、本発明の一実施の形態におけるＤＢサーバ１０及びスライス選択装置２０などは、スライスを選択するコンピュータとして機能してもよい。上述のＤＢサーバ１０及びスライス選択装置２０は、物理的には、プロセッサ１０１、メモリ１０２、ストレージ１０３、及び通信モジュール１０４などを含むコンピュータ装置として構成されてもよい。
【００３９】
なお、以下の説明では、「装置」という文言は、回路、デバイス、ユニットなどに読み替えることができる。スライス選択装置２０のハードウェア構成は、図に示した各装置を１つ又は複数含むように構成されてもよいし、一部の装置を含まずに構成されてもよい。
【００４０】
ＤＢサーバ１０及びスライス選択装置２０における各機能は、プロセッサ１０１、メモリ１０２などのハードウェア上に所定のソフトウェア（プログラム）を読み込ませることで、プロセッサ１０１が演算を行い、通信モジュール１０４による通信、及び、メモリ１０２及びストレージ１０３におけるデータの読み出し及び／又は書き込みを制御することで実現される。
【００４１】
プロセッサ１０１は、例えば、オペレーティングシステムを動作させてコンピュータ全体を制御する。プロセッサ１０１は、周辺装置とのインターフェース、制御装置、演算装置、レジスタなどを含む中央処理装置（ＣＰＵ：Central  Processing  Unit）で構成されてもよい。例えば、上述の要求受付部１１、検索部１３、要求受付部２１、及びアクセス先判断部２３などは、プロセッサ１０１で実現されてもよい。
【００４２】
また、プロセッサ１０１は、プログラム（プログラムコード）、ソフトウェアモジュール及びデータを、ストレージ１０３及び／又は通信モジュール１０４からメモリ１０２に読み出し、これらに従って各種の処理を実行する。プログラムとしては、上述の実施の形態で説明した動作の少なくとも一部をコンピュータに実行させるプログラムが用いられる。例えば、ＤＢサーバ１０及びスライス選択装置２０は、メモリ１０２に格納され、プロセッサ１０１で動作する制御プログラムによって実現されてもよく、他の機能ブロックについても同様に実現されてもよい。上述の各種処理は、１つのプロセッサ１０１で実行される旨を説明してきたが、２以上のプロセッサ１０１により同時又は逐次に実行されてもよい。プロセッサ１０１は、１以上のチップで実装されてもよい。なお、プログラムは、電気通信回線を介してネットワークから送信されてもよい。
【００４３】
メモリ１０２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１０２は、レジスタ、キャッシュ、メインメモリ（主記憶装置）などと呼ばれてもよい。メモリ１０２は、本発明の一実施の形態に係る方法を実施するために実行可能なプログラム（プログラムコード）、ソフトウェアモジュールなどを保存することができる。
【００４４】
ストレージ１０３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１０３は、補助記憶装置と呼ばれてもよい。上述の記憶媒体は、例えば、メモリ１０２及び／又はストレージ１０３を含むデータベース、サーバその他の適切な媒体であってもよい。
【００４５】
通信モジュール１０４は、有線及び／又は無線ネットワークを介してコンピュータ間の通信を行うためのハードウェア（送受信デバイス）であり、例えばネットワークデバイス、ネットワークコントローラ、ネットワークカードなどともいう。
【００４６】
また、プロセッサ１０１及びメモリ１０２などの各装置は、情報を通信するためのバス１０５で接続される。バス１０５は、単一のバスで構成されてもよいし、装置間で異なるバスで構成されてもよい。
【００４７】
また、ＤＢサーバ１０及びスライス選択装置２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１０１は、これらのハードウェアの少なくとも１つで実装されてもよい。以上が、本実施形態に係るＤＢサーバ１０及びスライス選択装置２０の構成である。
【００４８】
次に、図６を用いて、スライス選択装置２０がアクセス先を受け付けて、当該アクセス先を決定する手順を説明する。スライス選択装置２０の要求受付部２１は、ＡＡＡサーバ３０又はＭＭＥ４０から、サービスタイプを取得すると共に、アクセス先の問い合わせを受け付ける（ステップＳ１）。続いて、アクセス先判断部２３は、記憶部２２に記憶されている情報を参照して、サービスタイプに対応するアドレス情報があるか否かを判断する（ステップＳ２）。アクセス先判断部２３は、サービスタイプに対応するアドレス情報がある場合（ステップＳ２：ＹＥＳ）、当該アドレス情報を要求元のＡＡＡサーバ３０又はＭＭＥ４０へ通知し、当該アドレス情報に対応する装置にアクセスする（ステップＳ３）。
【００４９】
サービスタイプに対応するアドレス情報が無い場合（ステップＳ２：ＮＯ）、アクセス先判断部２３は、ＤＢサーバ１０へ通信種別及びサービスタイプを送信し、ＤＢサーバ１０の検索部１３が、当該通信種別と異なる通信種別において、サービスタイプに対応するアドレス情報を検索する（ステップＳ４）。当該アドレス情報がある場合（ステップＳ４：ＹＥＳ）、要求元のＡＡＡサーバ３０又はＭＭＥ４０へ再アクセス要求を通知する。ＵＥ５０は、当該再アクセス要求に応じて、アクセス方式を変更して（ステップＳ５）、他の通信種別のＡＡＡサーバ３０又はＭＭＥ４０へアクセスして、ステップＳ１へ進む。ステップＳ４において、アドレス情報が無い場合（ステップＳ４：ＮＯ）、スライス選択装置２０は、デフォルトスライスのアクセス先をＡＡＡサーバ３０又はＭＭＥ４０へ通知し、当該アクセス先の装置へアクセスする（ステップＳ６）。
【００５０】
次に、図７及び図８を用いて、上記の通信システム１におけるアクセス先へのアクセス方法を説明する。図７は、セルラ通信における、サービスタイプに対応するアクセス先を検索した結果、アクセス先が無い場合に、非セルラ通信における、当該サービスタイプに対応するアクセス先へアクセスする処理を示すシーケンス図である。図８は、非セルラ通信における、サービスタイプに対応するアクセス先を検索した結果、アクセス先が無い場合に、セルラ通信における、当該サービスタイプに対応するアクセス先へアクセスする処理を示すシーケンス図である。
【００５１】
最初に、図７を参照しながら、セルラ通信における、サービスタイプに対応するアクセス先を検索した結果、アクセス先が無い場合に、非セルラ通信における、当該サービスタイプに対応するアクセス先へアクセスする処理を説明する。
【００５２】
まず、ＵＥ５０は、ＭＭＥ４０に対してＩＭＳＩを送信すると共にアクセス要求をする（ステップＳ１１）。ＭＭＥ４０は、アクセス要求を受け付けると、ＭＭＥ４０は、ＨＳＳ６０へＩＭＳＩを送信すると共に、認証要求をする（ステップＳ１２）。ＨＳＳ６０は、当該ＩＭＳＩに対応するサービスタイプを検索し、当該サービスタイプをＭＭＥ４０へ送信する（ステップＳ１３）。ＭＭＥ４０は、ＨＳＳ６０から受信したサービスタイプを、スライス選択装置２０Ａに送信すると共に、アクセス先問い合わせをする。スライス選択装置２０Ａの要求受付部２１は、当該アクセス先問い合わせを受け付ける（ステップＳ１４）。スライス選択装置２０Ａのアクセス先判断部２３は、記憶部２２に記憶されている情報を参照して、サービスタイプに対応するアクセス先を検索して、アクセス先が無いと判断した場合、ＤＢサーバ１０へサービスタイプ及び通信種別を送信すると共に、アクセス先問い合わせをする。これに応じて、要求受付部１１は、当該アクセス先問い合わせの要求を受け付ける（ステップＳ１５）。ＤＢサーバ１０の検索部１３は、当該通信種別とは異なる通信種別における、当該サービスタイプに対応するアクセス先の検索をする。検索部１３は、当該アクセス先がある場合、スライス選択装置２０Ａへ再アクセス要求をする。スライス選択装置２０Ａのアクセス先判断部２３は、当該再アクセス要求を受け付ける（ステップＳ１６）。アクセス先判断部２３は、サービスタイプを送信すると共に、ＭＭＥ４０に対して再アクセス要求をする。ＭＭＥ４０は、サービスタイプを受信すると共に、再アクセス要求を受け付ける（ステップＳ１７）。ＭＭＥ４０は、ＵＥ５０へサービスパラメータを通知すると共に、再アクセス要求する（ステップＳ１８）。ＵＥ５０は、アクセス方法を変更し、サービスタイプを送信すると共にＡＡＡサーバ３０へアクセス要求をする（ステップＳ１９）。ＡＡＡサーバ３０は、スライス選択装置２０Ｂへサービスタイプを送信すると共に、アクセス先問い合わせをする（ステップＳ２０）。スライス選択装置２０Ｂは、サービスタイプに対応するアドレス情報を検索して、当該アドレス情報をＡＡＡサーバ３０へ送信する（ステップＳ２１）。続いて、当該アドレス情報に対応するアクセス先へアクセスする（ステップＳ２２）。例えば、一度切断した後に、アクセスしたり、ＳａＭＯＧを利用したりする等、公知の手法によりアクセスする。このように、スライス選択装置２０Ａのアクセス先判断部２３が、サービスタイプに対応するアドレス情報を検索する。アクセス先判断部２３が検索した結果、当該アドレス情報が無い場合、ＤＢサーバ１０の検索部１３が非セルラ通信における、当該サービスタイプに対応するアドレス情報を検索し、その検索結果（再アクセス要求）をスライス選択装置２０Ａに送信する。これに応じて、スライス選択装置２０Ｂのアクセス先判断部２３がサービスタイプに対応するアドレス情報を検索して、検索したアドレス情報を選択する。すなわち、ＤＢサーバ１０による検索結果に基づいて、スライス選択装置２０Ｂのアクセス先判断部２３がアドレス情報を選択する。
【００５３】
続いて、図８を用いて、非セルラ通信における、サービスタイプに対応するアクセス先を検索した結果、アクセス先が無い場合に、セルラ通信における、当該サービスタイプに対応するアクセス先へアクセスする処理について説明する。
【００５４】
まず、ＵＥ５０は、ＡＡＡサーバ３０に対してＮＡＩを送信すると共にアクセス要求をする（ステップＳ３１）。アクセス要求を受け付けると、ＡＡＡサーバ３０は、ＨＳＳ６０へＮＡＩを送信すると共に、認証要求をする（ステップＳ３２）。ＨＳＳ６０は、当該ＮＡＩに対応するサービスタイプを検索し、当該サービスタイプをＡＡＡサーバ３０へ送信する（ステップＳ３３）。ＡＡＡサーバ３０は、ＨＳＳ６０から受信したサービスタイプを、スライス選択装置２０Ｂに送信すると共に、アクセス先問い合わせをする。スライス選択装置２０Ｂの要求受付部２１は、当該アクセス先問い合わせを受け付ける（ステップＳ３４）。スライス選択装置２０Ｂのアクセス先判断部２３は、記憶部２２に記憶されている情報を参照して、サービスタイプに対応するアクセス先を検索して、アクセス先が無いと判断した場合、ＤＢサーバ１０へサービスタイプ及び通信種別を送信すると共に、アクセス先問い合わせをする。これに応じて、要求受付部１１は、要求を受け付ける（ステップＳ３５）。ＤＢサーバ１０の検索部１３は、当該通信種別とは異なる通信種別における、当該サービスタイプに対応するアクセス先の検索をする。検索部１３は、当該アクセス先がある場合、スライス選択装置２０Ｂへ再アクセス要求をする。スライス選択装置２０Ｂのアクセス先判断部２３は、当該再アクセス要求を受け付ける（ステップＳ３６）。アクセス先判断部２３は、サービスタイプを送信すると共に、ＡＡＡサーバ３０に対して再アクセス要求をする。ＡＡＡサーバ３０は、サービスタイプを受信すると共に、再アクセス要求を受け付ける（ステップＳ３７）。ＡＡＡサーバ３０は、ＵＥ５０へサービスパラメータを通知すると共に、再アクセス要求する（ステップＳ３８）。ＵＥ５０は、アクセス方法を変更し、サービスタイプを送信すると共にＭＭＥ４０へアクセス要求をする（ステップＳ３９）。ＭＭＥ４０は、スライス選択装置２０Ａへサービスタイプを送信すると共に、アクセス先問い合わせをする（ステップＳ４０）。スライス選択装置２０Ａは、サービスタイプに対応するアドレス情報を検索して、当該アドレス情報をＭＭＥ４０へ送信する（ステップＳ４１）。続いて、当該アドレス情報に対応するアクセス先へアクセスする（ステップＳ４２）。一度切断した後に、アクセスしたり、ＳａＭＯＧを利用したりする等、公知の手法によりアクセスする。
【００５５】
上述の実施形態では、サービスタイプをｅＰＤＧ７０又はＰＧＷ９０のアドレスに対応付ける場合について述べた。このサービスタイプに代えて、UE Usage Type、サービスパラメータ、ＡＰＮ（Access  Point  Name）、ＤＣＮ（Dedicated  Core  Network）等のサービスを特定することができる情報を用いてもよい。
【００５６】
上述の実施形態では、スライス選択装置２０が独立した装置である場合について述べたが、他の装置の中にスライス選択装置２０が組み込まれるようにしてもよい。例えば、ＡＡＡサーバ３０又はＭＭＥ４０がスライス選択装置２０として機能するようにしてもよい。
【００５７】
上述の実施形態では、ＨＳＳ６０が、ユーザの情報とサービスタイプとを対応付けた情報を記憶し、スライス選択装置２０が、サービスタイプと、アクセス先情報とを対応付けた情報を記憶する場合について述べた。これに代えて、スライス選択装置２０は、上記２つの情報を組み合わせた情報を記憶してもよい。すなわち、スライス選択装置２０は、図９に示すようなユーザの情報とサービスタイプとアクセス先情報とを対応付けた情報を記憶してもよい。この場合、ＡＡＡサーバ３０は、ＨＳＳ６０へサービスタイプの問合せをすることなく、スライス選択装置２０へユーザの情報を送信する共にアクセス先情報の問合せをする。
【００５８】
また、上述の実施形態では、ＤＢサーバ１０は、サービスタイプに対応するアドレス情報の有無をスライス選択装置２０へ通知する場合について述べた。これに代えて、ＤＢサーバ１０は、アドレス情報をスライス選択装置２０へ通知するようにしてもよい。すなわち、ＤＢサーバ１０が、検索結果として、当該アドレス情報を出力することにより、ゲートウェイ装置を選択するようにしてもよい。
【００５９】
上述のように、通信システム１では、セルラ通信及び非セルラ通信の一方において、ＵＥ５０が利用するサービスタイプに対応するアクセス先が無い場合、ＤＢサーバ１０の検索部１３が、セルラ通信及び非セルラ通信の他方における、対応情報を参照し、アクセス先判断部２３が、サービスタイプに対応するアクセス先を選択する。
【００６０】
このように、セルラ通信及び非セルラ通信の一方に、ＵＥ５０が利用するサービスタイプに対応するアクセス先が無い場合に、ＤＢサーバ１０が、セルラ通信及び非セルラ通信の他方において、ＵＥ５０が利用するサービスタイプに対応するアクセス先を選択するので、ＵＥ５０が利用するサービスタイプに適合するアクセス先をセルラ通信及び非セルラ通信の双方から選択することができる。
【００６１】
また、検索部１３は、セルラ通信及び非セルラ通信の上記他方における、対応情報を参照して、当該サービスタイプに対応するアクセス先の検索を行い、アクセス先判断部２３が、当該検索結果に基づいて、サービスタイプに対応するアクセス先を選択する。このように、検索部１３による検索結果に基づいて、アクセス先を選択するので、他方における、サービスタイプに対応するアクセス先の有無を判断した結果に基づいて、アクセス先を選択できる。すなわち、ＵＥ５０が利用するサービスタイプに適合するアクセス先をセルラ通信及び非セルラ通信の双方から選択することができる。
【００６２】
また、スライス選択装置２０のアクセス先判断部２３は、セルラ通信及び非セルラ通信の一方において、サービスタイプに対応するアクセス先の有無を判断し、サービスタイプに対応するアクセス先が無い場合に、ＤＢサーバ１０に、他方において、サービスタイプに対応するアクセス先の検索要求をする。
【００６３】
この場合、アクセス先判断部２３において、セルラ通信及び非セルラ通信の一方において、サービスタイプに対応するアクセス先の有無を判断してから、セルラ通信及び非セルラ通信の他方における、サービスタイプに対応するアクセス先の有無を判断するので、効率良く検索することができる。
【００６４】
また、通信システム１では、ＤＢサーバ１０の検索部１３において、セルラ通信及び非セルラ通信の他方における、サービスタイプに対応するアクセス先がある場合、当該アクセス先の情報を有するスライス選択装置２０が、ＤＢサーバ１０による検索結果として、上記アクセス先の情報を出力する。この場合、セルラ通信及び非セルラ通信の他方における、サービスタイプに対応するアクセス先を適切に通知することができる。
【００６５】
また、通信システム１では、ＤＢサーバ１０の検索部１３において、セルラ通信及び非セルラ通信の他方における、サービスタイプに対応するアクセス先が無い場合、スライス選択装置２０が、ＤＢサーバ１０による検索結果として、予め定められているアクセス先（デフォルトスライスのアクセス先）を出力する。この場合、サービスタイプに対応するアクセス先がセルラ通信及び非セルラ通信の双方に無い場合に、サービスタイプの要件を満たさないものの、次善策として通信サービスを提供することができる。
【００６６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６９】
なお、本明細書で説明した用語及び／又は本明細書の理解に必要な用語については、同一の又は類似する意味を有する用語と置き換えてもよい。
【００７０】
本明細書で使用する「システム」および「ネットワーク」という用語は、互換的に使用される。
【００７１】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７３】
また、上記の各装置の構成における「手段」を、「部」、「回路」、「デバイス」等に置き換えてもよい。
【００７４】
「含む(ｉｎｃｌｕｄｉｎｇ)」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００７５】
本明細書において、文脈または技術的に明らかに１つのみしか存在しない装置である場合以外は、複数の装置をも含むものとする。
【００７６】
また、本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７７】
また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７８】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は削除されてもよい。入力された情報等は他の装置へ送信されてもよい。
【００７９】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８０】
本開示の全体において、明らかに単数であることを示しているものではない限り、単数および複数の両方のものを含むものとする。
【００８１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００８２】
１…通信システム、１０…ＤＢサーバ、１１…要求受付部、１２…記憶部、１３…検索部、２０…スライス選択装置、２１…要求受付部、２２…記憶部、２３…アクセス先判断部、３０…ＡＡＡサーバ、４０…ＭＭＥ、５０…ＵＥ（端末）、６０…ＨＳＳ、７０…ｅＰＤＧ、８０…ＳＧＷ、９０…ＰＧＷ、１０１…プロセッサ、１０２…メモリ、１０３…ストレージ、１０４…通信モジュール、１０５…バス。
【図１】
2018061942.tif 000003
【図２】
2018061942.tif 000004
【図３】
2018061942.tif 000005
【図４】
2018061942.tif 000006
【図５】
2018061942.tif 000007
【図６】
2018061942.tif 000008
【図７】
2018061942.tif 000009
【図８】
2018061942.tif 000010
【図９】
2018061942.tif 000011
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
通信サービスを利用可能な端末と、複数のゲートウェイ装置とを含み、ネットワークインフラ上に論理的に生成される仮想ネットワーク又はサービス網であるスライスが複数生成される通信システムにより実行される、前記端末が利用する通信サービスの要件を満たすスライスを構成するゲートウェイ装置を選択するゲートウェイ選択方法であって、
セルラ通信及び非セルラ通信の一方において、前記端末が利用する通信サービスの要件を満たすスライスを構成するゲートウェイ装置の有無を判断する判断ステップと、
前記ゲートウェイ装置が無い場合に、前記セルラ通信及び非セルラ通信の他方における、通信サービスと、当該通信サービスの要件を満たすスライスを構成するゲートウェイ装置とを対応付けた対応情報を参照することで、前記端末が利用する通信サービスの要件を満たすスライスを構成するゲートウェイ装置を選択する選択ステップと、
を含むゲートウェイ選択方法。
【請求項２】
前記選択ステップでは、前記対応情報を参照して、前記端末が利用する通信サービスの要件を満たすスライスを構成するゲートウェイ装置の検索を行い、検索結果に基づいて、前記端末が利用する通信サービスの要件を満たすスライスを構成するゲートウェイ装置を選択する、請求項１に記載のゲートウェイ選択方法。
【請求項３】
前記選択ステップでは、前記判断ステップによって、前記端末が利用する通信サービスの要件を満たすスライスを構成するゲートウェイ装置が無いと判断された場合に、前記検索を行う、請求項２に記載のゲートウェイ選択方法。
【請求項４】
前記選択ステップでは、前記端末が利用する通信サービスの要件を満たすスライスを構成するゲートウェイ装置の検索を行った結果、前記端末が利用する通信サービスの要件を満たすスライスを構成するゲートウェイ装置がある場合、前記検索結果として、当該ゲートウェイ装置のアドレスを出力し、出力したアドレスのゲートウェイ装置を選択する、請求項２又は３に記載のゲートウェイ選択方法。
【請求項５】
前記選択ステップでは、前記端末が利用する通信サービスの要件を満たすスライスを構成するゲートウェイ装置の検索を行った結果、前記端末が利用する通信サービスの要件を満たすスライスを構成するゲートウェイ装置が無い場合、前記検索結果として、予め定められているゲートウェイ装置のアドレスを出力し、出力したアドレスのゲートウェイ装置を選択する、請求項２〜４の何れか一項に記載のゲートウェイ選択方法。
【請求項６】
通信サービスを利用可能な端末と、当該通信サービスを利用するための通信を行う複数のゲートウェイ装置とを含み、ネットワークインフラ上に論理的に生成される仮想ネットワーク又はサービス網であるスライスが複数生成される通信システムであって、
セルラ通信及び非セルラ通信の一方において、前記端末が利用する通信サービスの要件を満たすスライスを構成するゲートウェイ装置の有無を判断し、
前記ゲートウェイ装置が無い場合に、前記セルラ通信及び非セルラ通信の他方における、通信サービスと、当該通信サービスの要件を満たすスライスを構成するゲートウェイ装置とを対応付けた対応情報を参照することで、前記端末が利用する通信サービスの要件を満たすスライスを構成するゲートウェイ装置を選択する
選択部、
を備える通信システム。
【国際調査報告】
2018061942.tif 000012
2018061942.tif 000013
2018061942.tif 000014
2018061942.tif 000015